(57)【要約】器具筐体と、その中に受け取られた取り外し可能カートリッジとを含む空気処理器具が、提供される。取り外し可能カートリッジは、エアロゾル化されるべき液体化合物をその内部に含むレセプタクルと、レセプタクルに結合されているキャップアセンブリとを含む。キャップアセンブリは、溶接または別個の留め具を用いずに一緒に取り付けられるキャップと、ベンチュリ挿入体と、基部とを含み、それらは、ベンチュリ挿入体の片側の空気入口チャンバと、レセプタクルの内部と流体連通するベンチュリ挿入体の他側のベンチュリ出口通路と、基部によってレセプタクルの内部から分割され、動作中、それを通してベンチュリ挿入体によって発生させられたエアロゾル化された化合物が放出される、キャップの出口と流体連通するエアロゾル出口チャンバとを画定する。
2018534048.tif 000002
【特許請求の範囲】
【請求項１】
空気処理器具のためのカートリッジアセンブリであって、前記カートリッジアセンブリは、
エアロゾル化されるべき液体化合物をその内部に含むレセプタクルと、
前記レセプタクルに結合されているキャップアセンブリと
を備え、
前記キャップアセンブリは、キャップと、ベンチュリ挿入体と、基部とを含み、それらは、溶接または別個の留め具を用いずに一緒に取り付けられており、
前記キャップ、前記ベンチュリ挿入体、および前記基部は、
前記ベンチュリ挿入体の片側における空気入口チャンバと、
前記ベンチュリ挿入体の他側におけるベンチュリ出口通路であって、前記ベンチュリ出口通路は、前記レセプタクルの内部と流体連通している、ベンチュリ出口通路と、
前記基部によって前記レセプタクルの内部から分割されているエアロゾル出口チャンバであって、前記エアロゾル出口チャンバは、前記キャップの出口と流体連通しており、動作中、前記ベンチュリ挿入体によって発生させられたエアロゾル化された化合物は、前記出口を通して放出される、エアロゾル出口チャンバと
を画定する、カートリッジアセンブリ。
【請求項２】
前記キャップは、複数の柱状突起を含み、前記基部は、前記キャップの前記柱状突起と篏合し、前記基部を前記キャップに取り付け、前記ベンチュリ挿入体をそれらの間に固定するための対応する複数の開口を含む、請求項１に記載のカートリッジアセンブリ。
【請求項３】
各柱状突起は、多角形形状の断面を備え、前記柱状突起の近位端から離れる距離の増加に伴って先細になる、請求項２に記載のカートリッジアセンブリ。
【請求項４】
各対応する開口における基部は、複数の個別的な接触エリアにおいて各それぞれの柱状突起と界面接触し、前記基部を前記キャップに固定して取り付ける円筒形外形を備えている、請求項３に記載のカートリッジアセンブリ。
【請求項５】
前記基部は、前記基部の周辺縁の少なくとも一部が、摩擦または締まり嵌めを介して、前記基部を前記キャップ内の定位置に保持することを補助するように、前記キャップの内部外形に対応して成形された少なくとも一部を有する周辺を含む、請求項４に記載のカートリッジアセンブリ。
【請求項６】
前記基部は、前記キャップ内に楔止めされ、前記キャップからの前記基部の分離を防止し、前記ベンチュリ挿入体を前記キャップと前記基部との間の定位置に維持する、請求項５に記載のカートリッジアセンブリ。
【請求項７】
前記レセプタクルの口は、前記基部が前記キャップから分離することを防止する、請求項１に記載のカートリッジアセンブリ。
【請求項８】
前記キャップは、前記レセプタクルに固定して結合され、前記カートリッジの非破壊的分解を防止する、請求項１に記載のカートリッジアセンブリ。
【請求項９】
前記キャップは、それと一体的に形成されるシールを含み、前記キャップは、前記レセプタクルに固定して結合され、前記シールは、前記レセプタクルの口に係合する、請求項１に記載のカートリッジアセンブリ。
【請求項１０】
前記基部は、前記エアロゾル化された化合物が前記レセプタクルの内部から前記エアロゾル出口チャンバに移動することを可能にする排気筒と、前記エアロゾル化された化合物の凝縮された部分が、前記キャップから前記基部を通して前記レセプタクルの中に放出され、再びエアロゾル化されることを可能にする放出開口とを含む、請求項１に記載のカートリッジアセンブリ。
【請求項１１】
前記基部は、前記キャップと篏合し、前記ベンチュリ挿入体の周辺縁領域の下にある円周段部を画定する、請求項１に記載のカートリッジアセンブリ。
【請求項１２】
前記キャップは、前記エアロゾル化された化合物を複数の出口のうちの１つ以上のものから放出するための複数の出口ノズルを含む、請求項１に記載のカートリッジアセンブリ。
【請求項１３】
前記複数の出口ノズルのうちの少なくとも１つは、前記キャップ内に一体的に形成された障壁を含み、前記障壁は、除去されるまで、前記出口ノズルの出口通路を前記エアロゾル出口チャンバから隔離する、請求項１２に記載のカートリッジアセンブリ。
【請求項１４】
前記キャップは、内部パーティションを含み、前記内部パーティションは、前記ベンチュリ挿入体を挿入可能に受け取るようにサイズを決定され、成形されているベンチュリレセプタクルを画定する、請求項１に記載のカートリッジアセンブリ。
【請求項１５】
前記内部パーティションは、前記空気入口チャンバの少なくとも一部、および前記エアロゾル出口チャンバの少なくとも一部も画定する、請求項１４に記載のカートリッジアセンブリ。
【請求項１６】
前記キャップ内に一体的に形成される係止特徴を介して前記キャップに係止されている空気導管をさらに備えている、請求項１に記載のカートリッジアセンブリ。
【請求項１７】
前記ベンチュリ挿入体は、前記ベンチュリ挿入体によってエアロゾル化されるべき前記液体化合物を前記レセプタクルから引き込むために、前記基部を通して前記レセプタクルの中に延びている導管を含む、請求項１に記載のカートリッジアセンブリ。
【請求項１８】
空気処理器具のエアロゾル発生カートリッジのキャップアセンブリであって、前記キャップアセンブリは、
空気入口およびエアロゾル化された化合物出口を有するキャップと、
エアロゾル化された化合物を液体化合物から発生させるように構成されているベンチュリ本体と、エアロゾル化されるべき前記液体化合物をレセプタクルから引き込むために、前記ベンチュリ本体に結合され、そこから延びている導管とを含むベンチュリ挿入体と、
基部と
を備え、
前記キャップ、前記ベンチュリ挿入体、および前記基部は、溶接または別個の留め具を用いずに一緒に取り付けられており、前記キャップ、前記ベンチュリ挿入体、および前記基部は、
前記ベンチュリ本体の片側の空気入口チャンバと、
前記ベンチュリ本体の他側のベンチュリ出口通路と、
少なくとも部分的に前記ベンチュリ本体によって前記空気入口チャンバから隔離されているエアロゾル出口チャンバと
を画定し、
前記エアロゾル出口チャンバは、前記キャップの前記エアロゾル化された化合物出口と流体連通しており、動作中、前記ベンチュリ本体によって発生させられたエアロゾル化された化合物は、前記キャップの前記エアロゾル化された化合物出口を通して放出される、キャップアセンブリ。
【請求項１９】
前記キャップは、前記レセプタクルの口に係合するための前記キャップと一体的に形成された環状シールを含む、請求項１８に記載のキャップアセンブリ。
【請求項２０】
前記キャップは、前記レセプタクルの口に固定して係合し、前記エアロゾル発生カートリッジを形成し、前記カートリッジの非破壊的分解を防止するように構成されている周辺界面を含む、請求項１８に記載のキャップアセンブリ。
【発明の詳細な説明】
【技術分野】
【０００１】
本開示は、概して、空気処理器具に関し、より具体的には、拡散またはエアロゾル化され、処理されるべき空間の中に解放されるべき液体化合物を含む取り外し可能カートリッジと、キャップアセンブリを含むその構成要素とを含む、空気処理器具に関する。
【背景技術】
【０００２】
これまでの空気処理器具は、所望の空間の雰囲気を通して香水化合物または他の化合物を分配する能力を有しているが、種々の短所または欠点に悩まされ得る。例えば、いくつかの空気処理器具およびその取り外し可能カートリッジは、過度に複雑であって、コストがかかり、および／または、例えば、準理想的特性を伴う拡散液体を放出すること、もしくはカートリッが漏出、不正加工、汚損、および／または汚染を受けやすいこと等、他の欠点もしくは短所に悩まされ得る。
【発明の概要】
【発明が解決しようとする課題】
【０００３】
本明細書に図示および説明される空気処理器具および取り外し可能カートリッジならびにその他の構成要素は、目立たない様式で、液体源から拡散またはエアロゾル化された化合物で空間を処理する際に、ロバスト、効率的、かつ特に効果的である、効率的形状因子を提供する。
【課題を解決するための手段】
【０００４】
空気処理器具の少なくとも一実施形態は、エアロゾル化されるべき液体化合物を含み、それを通してエアロゾル化された化合物が放出されるカートリッジ出口を含む、取り外し可能カートリッジと、取り外し可能カートリッジに動作可能に結合され、空気を取り外し可能カートリッジに供給し、エアロゾル化された化合物を取り外し可能カートリッジ内に含まれる液体化合物から発生させるポンプと、ポンプを制御し、空気を取り外し可能カートリッジに供給し、エアロゾル化された化合物を発生させ、エアロゾル化された化合物をカートリッジ出口から放出するために、ポンプに動作可能に結合されるコントローラと、取り外し可能カートリッジ、ポンプ、およびコントローラをその内部空洞内に収容する器具筐体とを含むこととして要約され得る。
【０００５】
器具筐体は、基部と、基部に結合され、内部空洞を画定するカバーと、内部空洞内に位置する内側サブ筐体とを含み得る。内側サブ筐体は、基部に結合され、集合的に、動作中、カートリッジ出口から放出されたエアロゾル化された化合物の経路を横断して空気の流動を放出するように位置付けられる空気出口を有する通路を画定し得る。内側サブ筐体は、通路の終端端部を画定し、空気出口を含む放出ノズルを含み得、放出ノズルは、カートリッジ出口から放出されたエアロゾル化された化合物の経路に対して斜めに空気の流動を放出するように向けられ得る。内側サブ筐体は、カートリッジ出口を含む取り外し可能カートリッジのステムを受け取り、カートリッジ出口およびエアロゾル化された化合物の経路と内側サブ筐体の放出ノズルの空気出口の整列を補助するための整列溝を有するタングをさらに含み得る。空気処理デバイスは、基部と内側サブ筐体との間に形成される、器具筐体のコンパートメント内に位置付けられるファンデバイスをさらに含み得、ファンデバイスは、空気をコンパートメントから引き込み、動作中、カートリッジ出口から放出されたエアロゾル化された化合物の経路を横断して空気の流動を放出するように位置付けられる空気出口につながる通路を通して空気を移動させるように配置されるファン取入口およびファン出口を含む。コントローラの少なくともいくつかの機能電子機器は、基部と内側サブ筐体との間に形成される器具筐体のコンパートメント内に位置し得、ファン取入口は、コントローラの該機能電子機器に面する空気を引き込むように配置され得る。
【０００６】
空気処理器具は、壁の電源コンセントに結合可能である電源アダプタユニットをさらに含み得、器具筐体の基部は、電源アダプタユニットを収容し、空気処理器具が壁に固定されると、電源アダプタユニットを隠すようにサイズを決定および成形される電源アダプタ空洞または凹所を画定し得る。
【０００７】
空気処理器具は、ポンプを器具筐体に結合するポンプ搭載設備をさらに含み得る。ポンプ搭載設備は、ポンプブラケットと、異なる平面に配置され、複数の方向におけるポンプの振動を抑制するための複数のアイソレータ群とを含み得る。ポンプブラケットは、ポンプを器具筐体の下側端部に位置しているポンプ空洞内に吊り下げ得る。器具筐体の基部およびカバーは、集合的に、ポンプ空洞を画定し、ポンプを収容し得、空気処理器具は、ポンプ空洞内に位置付けられ、ポンプと器具筐体との間の空隙を実質的に充填する防音または消音デバイスをさらに含み得る。防音または消音デバイスは、ポンプと器具筐体との間の空隙に対応する形状で形成されるコンプライアントな材料を備え得る。
【０００８】
いくつかの事例では、取り外し可能カートリッジは、その側面に形成されている１つ以上の整列くぼみを有する基部レセプタクルを含み得、器具筐体の基部は、取り外し可能カートリッジの整列くぼみと入れ子になる１つ以上の対応する整列突起を伴う背面および対向する側面壁を含み得る。
【０００９】
空気処理器具は、ポンプの空気出口を取り外し可能カートリッジの空気入口に結合する導管アセンブリをさらに含み得る。導管アセンブリは、導管継手と、ポンプの空気出口と取り外し可能カートリッジの空気入口との間の導管の経路設定を促進するための１つ以上のひだ付き区分を伴う導管とを含み得る。導管継手は、取り外し可能カートリッジの空気入口にシール係合するために複数の弾力性突起をその終端端部に有するシール部材と、導管の終端端部と篏合するためのステムと、導管継手および導管を取り外し可能カートリッジに係止するための係止デバイスとを含み得る。いくつかの事例では、ポンプの空気出口と取り外し可能カートリッジの空気入口との間の導管の経路設定を促進するための１つ以上のひだ付き区分と、取り外し可能カートリッジの空気入口にシール係合するためのその終端端部における複数の弾力性突起と、導管を取り外し可能カートリッジに係止するための係止デバイスとを備えている一体型の単一部品から成る導管が提供され得る。係止デバイスは、係止デバイスを操作するため、および取り外し可能カートリッジを器具筐体内に据え付け、取り外し可能カートリッジを器具筐体から除去することを補助するための把持部分を含み得る。
【００１０】
空気処理器具は、補助電源と、補助電源を器具筐体内に取り外し可能に位置付けるための補助電源のための容器とをさらに含み得る。容器は、器具筐体からの補助電源の除去を補助するためのその端部から突出するフィンガグリップを含み得る。
【００１１】
器具筐体の基部は、器具筐体を壁または代替として器具スタンドに固定するための搭載開口の配置を有する背面を含み得る。器具筐体の基部の背面の上側および下側縁ならびに対向する側面壁の各々の周辺縁は、カバーの対応する突起を受け取り、別個の留め具を用いずに、基部およびカバーを一緒に接合するための複数のくぼみを含み得る。
【００１２】
器具筐体は、カバーを器具筐体の基部と一体的に形成されている１つ以上の捕捉部材に直接係止するためにカバーに結合される係止アセンブリをさらに含み得る。係止アセンブリは、捕捉部材を介してカバーを基部に係止するための回転可能ラッチを支持する、係止アセンブリの対応するシャフトへの保持リングの据え付けおよびそこからの除去を補助するための直立タブを有する保持リングを含み得る。カバーは、係止アセンブリを隠すための別個のサブカバーを含み得る。サブカバーは、一体型カップリング部材および可撓性ランヤードの配置を介して、カバーに取り外し可能に固定され得る。
【００１３】
器具筐体のカバーおよび基部の各々は、それと一体的に形成されているそれぞれのランヤード搭載部を含み得、空気処理器具は、ランヤード搭載部を介してカバーを基部に接続するランヤードをさらに含み得る。
【００１４】
空気処理器具のためのカートリッジアセンブリの少なくとも一実施形態は、エアロゾル化されるべき液体化合物をその内部に含むレセプタクルと、レセプタクルに結合されているキャップアセンブリとを含むこととして要約され得る。キャップアセンブリは、溶接または別個の留め具を用いずに一緒に取り付けられるキャップと、ベンチュリ挿入体と、基部とを含み、キャップと、ベンチュリ挿入体と、基部とは、ベンチュリ挿入体の片側の空気入口チャンバと、レセプタクルの内部と流体連通するベンチュリ挿入体の他側のベンチュリ出口通路と、基部によってレセプタクルの内部から分割され、それを通してベンチュリ挿入体によって発生させられたエアロゾル化された化合物が、動作中、放出される、キャップの出口と流体連通するエアロゾル出口チャンバとを画定し得る。
【００１５】
キャップは、複数の柱状突起を含み得、基部は、キャップの柱状突起と篏合し、基部をキャップに取り付け、ベンチュリ挿入体をそれらの間に固定するための対応する複数の開口を含み得る。各柱状突起は、多角形形状の断面を備え得、柱状突起の近位端から離れる距離の増加に伴って先細になり得る。各対応する開口における基部は、複数の個別的な接触エリアにおいて各それぞれの柱状突起と界面接触し、基部をキャップに固定して取り付ける円筒形外形を備え得る。基部は、基部の周辺縁の少なくとも一部が、摩擦または締まり嵌めを介して、基部をキャップ内の定位置に保持することを補助するように、キャップの内部外形に対応して成形された少なくとも一部を有する周辺を含み得る。基部は、キャップ内に楔止めされ、キャップからの基部の分離を防止し、ベンチュリ挿入体をキャップと基部との間の定位置に維持し得る。レセプタクルの口も、基部がキャップから分離することを防止し得る。キャップは、レセプタクルに固定して結合され、カートリッジの非破壊的分解を防止し得る。キャップは、それと一体的に形成されるシールを含み得、レセプタクルに固定して結合され得、シールは、レセプタクルの口に係合する。基部は、エアロゾル化された化合物がレセプタクルの内部からエアロゾル出口チャンバに移動することを可能にする排気筒を含み得、かつエアロゾル化された化合物の凝縮された部分が、キャップから基部を通してレセプタクルの中に放出され、再びエアロゾル化されることを可能にする放出開口を含み得る。基部は、キャップと篏合し、ベンチュリ挿入体の周辺縁領域の下にある円周段部を画定し得る。キャップは、エアロゾル化された化合物を複数の出口のうちの１つ以上のものから放出するための複数の出口ノズルを含み得る。複数の出口ノズルのうちの少なくとも１つは、除去されるまで、出口ノズルの出口通路をエアロゾル出口チャンバから隔離する、キャップ内に一体的に形成された障壁を含み得る。キャップは、ベンチュリ挿入体を挿入可能に受け取るようにサイズを決定および成形されるベンチュリレセプタクルを画定する内部パーティションを含み得る。内部パーティションは、空気入口チャンバの少なくとも一部と、エアロゾル出口チャンバの少なくとも一部とも画定し得る。キャップは、エアロゾル化された化合物を発生させるための空気の流動を受け取るための空気導管をキャップに係止するために、それと一体的に形成される係止特徴を含み得る。ベンチュリ挿入体は、ベンチュリ挿入体によってエアロゾル化されるべき液体化合物をレセプタクルから引き込むために、基部を通してレセプタクルの中に延びている導管を含み得る。
【図面の簡単な説明】
【００１６】
【図１】図１は、空間を液体から拡散またはエアロゾル化された香水化合物または他の化合物で処理するために、公衆トイレ等の空間内の壁に取り付けられる空気処理器具の等角図である。
【図２】図２は、空間を液体から拡散またはエアロゾル化された香水化合物もしくは他の化合物で処理するために、スタンドに取り付けられ、住居用生活空間または商業用作業空間等の空間内のテーブルの上に支えられる空気処理器具の等角図である。
【図３】図３は、図１および２の空気処理器具の正面等角図であり、そのカバーは、空気がそれを通して移動するように押し進められると、液体から拡散またはエアロゾル化された香水化合物もしくは他の化合物を発生および放出するように構成される、取り外し可能カートリッジを含む、空気処理器具の内部構成要素および特徴を見せるために除去されている。
【図４】図４は、図３に示される取り外し可能カートリッジの等角分解図である。
【図５】図５は、図３に示される取り外し可能カートリッジの断面図である。
【図６】図６は、図５における線６−６に沿って得られた図３に示される取り外し可能カートリッジの部分的断面図である。
【図７】図７は、図３の取り外し可能カートリッジの部分的等角断面図である。
【図８】図８は、図３の取り外し可能カートリッジの別の部分的等角断面図である。
【図９】図９は、図１および２の空気処理器具の背面等角図であり、器具の背面の一部は、追加の内部構成要素およびその特徴を見せるために切り取られている。
【図１０】図１０は、図１および２の空気処理器具の別の正面等角図であり、カバーおよび他の構成要素は、空気処理器具のさらなる内部構成要素および特徴を見せるために除去されている。
【図１１】図１１は、図３から得られた空気処理器具の係止アセンブリの拡大図である。
【図１２】図１２は、図１および２の空気処理器具の等角分解図である。
【発明を実施するための形態】
【００１７】
以下の説明では、種々の開示される実施形態の徹底的な理解を提供するために、ある具体的詳細が、記載される。しかしながら、当業者は、実施形態がこれらの具体的詳細のうちの１つ以上のものを伴わずに実践され得ることを認識するであろう。他の事例では、化合物を液体源から拡散またはエアロゾル化する空気処理装置（または液体拡散デバイス）、その構成要素、および関連する方法に関連付けられる周知のデバイス、構造、および技法が、実施形態の説明を不必要に不明瞭にすることを回避するために、詳細に示されないこと、または説明されないこともある。例えば、本明細書に開示される空気処理器具および取り外し可能カートリッジの実施形態は、公知の器具および関連付けられた構成要素ならびにその制御方法の側面または特徴を含むか、もしくは組み込み得る。公知の空気処理器具、その構成要素および側面、ならびに関連方法の例は、米国特許第７，７１２，６８３号、第７，９３０，０６８号、および第８，８５５，８２７号に図示および説明され、全て、参照することによってその全体として本明細書に組み込まれる。
【００１８】
文脈が別様に要求しない限り、本明細書および以下に続く請求項の全体を通して、「ｃｏｍｐｒｉｓｅ（備えている）」という用語、ならびに「ｃｏｍｐｒｉｓｅｓ」および「ｃｏｍｐｒｉｓｉｎｇ」等のその変形例は、非制約的かつ包括的な意味で、つまり、「〜を含むが、それらに限定されない（ｉｎｃｌｕｄｉｎｇ，  ｂｕｔ  ｎｏｔ  ｌｉｍｉｔｅｄ  ｔｏ）」として解釈されるものである。
【００１９】
本明細書の全体を通した「一実施形態」または「実施形態」という言及は、実施形態に関連して説明される特定の特徴、構造、または特性が、少なくとも１つの実施形態に含まれることを意味する。したがって、本明細書の全体を通した種々の場所での「一実施形態では」または「実施形態では」という語句の出現は、必ずしも、全て同一の実施形態を指しているわけではない。さらに、特定の特徴、構造、または特性は、１つ以上の実施形態において任意の好適な様式で組み合わせられ得る。
【００２０】
本明細書および添付の請求項で使用されるように、「１つの（ａ、ａｎ）」および「該（ｔｈｅ）」という単数形は、内容が明確に別様に指示しない限り、複数形の指示対象を含む。また、「または（ｏｒ）」という用語は、概して、内容が明確に別様に指示しない限り、「および／または（ａｎｄ／ｏｒ）」を含む、その意味で採用されることにも留意されたい。
【００２１】
図１および２を参照すると、本開示は、概して、空気処理器具１００に関し、より具体的には、拡散またはエアロゾル化され、処理されるべき空間１０４、１０６の中に解放されるための液体化合物を含む取り外し可能カートリッジ１０２（図３）を含む空気処理器具１００（液体拡散デバイスまたは装置とも称される）と、その構成要素と、拡散またはエアロゾル化された化合物を液体源から空間１０４、１０６の中に放出する関連方法とに関する。
【００２２】
図１に示されるように、空気処理器具１００は、空間１０４を液体源から拡散またはエアロゾル化された香水化合物または他の化合物で処理するために、公衆トイレ等の空間１０４内の壁１０８に取り付けられ得る。図２に示されるように、空気処理器具１００は、空間１０６を液体源から拡散またはエアロゾル化された香水化合物もしくは他の化合物で処理するために、スタンド１１０に取り付けられ、住居用生活空間または商業用作業空間等の空間１０６内のテーブル１１２もしくは他の構造上に支えられ得る。この目的のために、出口１１４が、器具１００内に提供され、カートリッジ１０２内の液体１２０（図３）から発生させられた拡散またはエアロゾル化された化合物が、器具１００を包囲する環境もしくは空間１０４、１０６の中に放出されることを可能にする。図３を参照すると、器具１００内の取り外し可能カートリッジ１０２は、加圧された空気源（例えば、ポンプアセンブリ１２２）の出口に結合され、加圧された空気が、本明細書に説明されるようなカートリッジ１０２を選択的に通過させられ、その中に含まれる液体１２０を拡散またはエアロゾル化することを可能にする。
【００２３】
本開示内では、「霧化する」および「拡散させる」という用語は、それらの種々の形態において同義的に使用される。それらは、概して、同一の行為、すなわち、非常に小さい粒径（好ましくは、限定されないが、サイズが１ミクロン以下のもの）への液体の分散であり、略封入された空間の雰囲気中に粒子を解放することを指すことが意図される。特に小さい粒子において拡散させられる液体を放出することは、分散させられるべき液体が空間１０４、１０６を効果的に処理するために十分に長く浮遊したままであることを確実にすることに役立つ。
【００２４】
小さい粒径を提供するための１つのアプローチは、拡張チャンバに隣接して、分散またはガス−液体混合場所を組み込むことである。混合されたガスおよび液体の組み合わせは、所望のサイズを上回る粒子を含み得る。処理される空間１０４、１０６中に解放することに先立って、この混合物を拡張チャンバ内に留めることを可能にすることは、より大きい粒子が混合物から沈殿することを可能にするであろう。ガスおよび液体混合物が衝突する構造も、これらのより大きい粒子の収集を補助し、所望の主としてより小さくサイズを決定された解放されるべき粒子のみを残し得る。拡張チャンバは、処理されるべき空間１０４、１０６内の大気圧に対して正圧に維持され得、したがって、ガスおよび液体混合物は、器具１００から空間１０４、１０６中に投入されるであろう。代替として、拡張チャンバは、概して、処理されるべき空間１０４、１０６の大気圧に維持され、チャンバを通したガス（例えば、空気）の流動は、デバイスから処理されるべき空間１０４、１０６中へのガスおよび液体混合物の移動のための運動力を提供し得る。
【００２５】
本開示の文脈内では、拡散またはエアロゾル化は、概して、液体化合物の完全性を破壊することなく液体を分散させるプロセスまたは方法を指す。ある程度のガス（例えば、空気）と液体との間の反応度が所望され得るが、拡散は、概して、液体を拡散させるための液体への加熱または電気エネルギーの印加と異なり、液体の性質を変化させない。
【００２６】
本明細書に説明される空気処理器具１００、取り外し可能カートリッジ１０２、および他の構成要素は、心地よいまたは鎮静性の香水（または浮遊処理物もしくは化合物として使用され得るある他のタイプの液体）を室内または他の封入された空間の空気空間１０４、１０６間の中に提供または導入するために使用され得る。拡散デバイスによって拡散させられるべき特定の液体１２０は、取り外し可能カートリッジ１０２内に含まれる。分散させられ得る他の可能なタイプの液体は、除染剤、殺虫剤、防虫剤、および封入された空間１０４、１０６内に望ましく分散させられ得る多くの異なるタイプの液体を含み得る。本開示は、分散させられるべき液体１２０の特定のタイプまたは性質に限定されず、効果的であるように封入された空間１０４、１０６内に好ましく分散させられる任意の望ましい浮遊液体処理を包含することが意図される。「封入された空間」という用語は、本明細書で使用される場合、分散させられた液体が空間内でその所望の効果を及ぼすことを可能にするように、大気入れ替えが十分にゆっくりとしている任意の体積の空間を指す。コンサートホール、カジノ、ロビー等のより広い空間は、空間中への１つ以上の開口部を有し得るが、依然として、拡散させられる液体を用いた処理を可能にするための所望の特性を有する。他の空間は、好ましくは、選択される液体による処理を可能にするために、完全に封入され得る。他の場合では、処理のために使用される液体は、好ましくは、最大効果のために、または安全性の理由のために、密閉空間内で使用され得る。本開示の範囲内では、空間を処理するために使用される液体および空間内で所望の処理物の性質に対して適切である場合を除いて、処理されるべき空間の性質、サイズ、または構成を限定することは意図されない。
【００２７】
図３を参照すると、図示される実施形態によると、コントローラ１３０が、提供され、カートリッジ１０２の中に最終的にさし向けられそれを通過する、ポンプアセンブリ１２２によって発生させられた加圧された空気のタイミングおよび／または圧力レベルの調節を可能にするように構成される。いくつかの事例では、動作圧力は、例えば、約２ｐｓｉゲージ圧または約１．５ｐｓｉゲージ圧を下回る等、比較的に低くあり得る。カートリッジ１０２内では、加圧された空気は、その中に含まれる液体１２０を霧化し、処理されるべき空域中への霧化される液体の分散を補助するようにさし向けられる。
【００２８】
いくつかの事例では、液体の実際の霧化点から出口１３２まで、間接ルートを有することが望ましくあり得、粒子の一部は、出口１３２を通して霧化されるカートリッジ１０２から、最終的には器具１００から退出する。他でより詳細に説明されるであろうように、本明細書に説明される取り外し可能カートリッジ１０２の実施形態は、カートリッジ１０２からの液体１２０と加圧された空気とが出合い、混合される霧化区域を提供する。加えて、カートリッジ１０２は、カートリッジ１０２内に拡張チャンバまたは複数のチャンバも提供し得、霧化された液体は、霧化された液体の一部がカートリッジ１０２およびホスト器具１００から退出することを可能にされるまでそこに保持される。他でより詳細に説明されるであろうように、カートリッジ１０２は、拡散させられるべき液体１２０の貯蔵装置、液体１２０を浮遊濃度に変換するための霧化構造、拡張チャンバまたは複数のチャンバ、および随意に、カートリッジ１０２の出口１３２および器具１００の出口１１４（１つかつ同一であり得る）に向かう蛇行性の経路または通路を組み合わせ得る。
【００２９】
図１から３を参照すると、空気処理器具１００の一例示的実施形態が、図示され、器具筐体１０１と、その中に収容される取り外し可能カートリッジ１０２とを含む。前述のように、器具１００は、カートリッジ１０２内に含まれる液体１２０からの液体粒子に同伴される、カートリッジ１０２を通して移動する空気の流動によって発生させられた拡散またはエアロゾル化された化合物で、空間１０４、１０６を処理するように構成される。
【００３０】
図３に示されるように、取り外し可能カートリッジ１０２は、一緒に結合されるキャップアセンブリ１３８と、レセプタクル１４２とを含み、それらは、拡散させられるべき液体１２０で部分的に充填される内部空洞１４４を有する流体レセプタクルを画定し得る。いくつかの事例では、キャップアセンブリ１３８およびレセプタクル１４２は、一緒に固定して結合され、取り外し可能カートリッジ１０２の非破壊的分解を防止し、それを効果的に不正加工防止にし得る。これは、ユーザが、先の使用からのカートリッジ１０２内の残留物の汚損または堆積に起因して、空間１０４、１０６を処理する際に効果が全くまたは殆どないこともある使用済カートリッジを再充填および再使用することを防止するために、望ましくあり得る。
【００３１】
例として、ここで図４から８を参照すると、キャップアセンブリ１３８およびレセプタクル１４２は、カートリッジ１０２の非破壊的分解を防止する様式でスナップ嵌めまたは別様に一緒に結合する相互係止構造１４６、１４８を提供され得る。Ｏリングシールまたは他のシール等のシール１５０が、相互係止構造１４６、１４８の近傍で、キャップアセンブリ１３８のキャップ１４０とレセプタクル１４２の口１５２との間に提供され、カートリッジ１０２が組み立てられたときに液密シールを提供し得る。いくつかの実施形態では、キャップ１４０は、カートリッジ１０２が組み立てられたときにレセプタクル１４２の口１５２に係合するために、オーバーモールド、マルチショット射出成形、または他の好適なプロセスを介してそれと一体的に形成される、シール１５０を含み得る。このように、拡散させられるべき液体１２０は、キャップ１４０とレセプタクル１４２との間の界面においてカートリッジ１０２から漏出することを防止され得る。液体１２０の消耗時、カートリッジ１０２は、器具１００を包囲する環境または空間１０４、１０６の継続処理のために、除去され、同様のカートリッジ１０２と交換され得、消耗したカートリッジ１０２は、そのままのユニットとして破棄されるか、または再製品化を目的として収集され得る。
【００３２】
図４から８を継続して参照すると、空気入口１５４が、動作中、ポンプアセンブリ１２２（図３）からの加圧された空気の流動を受け取るためにキャップ１４０内に提供され得、カートリッジ出口１３２が、動作中、カートリッジ１０２によって発生させられた拡散またはエアロゾル化された化合物を放出するためにキャップ１４０内に提供され得る。図４から８に示されるカートリッジ１０２の図示される実施形態によると、内部構成要素およびその構造は、とりわけ、図７および８において標識された矢印で１５６ａ−１５６ｅによって表されるように、空気入口１５４からカートリッジ出口１３２までのカートリッジ１０２を通る流路を提供する。器具１００内に据え付けられると、空気入口１５４は、加圧空気源（例えば、ポンプアセンブリ１２２）に結合され、それによって、空気は、概して、図７および８において標識された矢印１５６ａ−１５６ｅによって表されるようにカートリッジ１０２を通して周期的に押し進められ、液体１２０（図３に示される）と組み合わさり、空気によって搬送される小液体粒子を備えているガス−液体混合物（特に、概して、本明細書では、拡散もしくはエアロゾル化された化合物、または単に、エアロゾルもしくは拡散させられた液体と称される）として退出し得る。
【００３３】
図７および８に示されるように、加圧されたガスは、キャップ１４０の側面における空気入口１５４を通してカートリッジ１０２に進入し、そして、空気入口チャンバ１５８の中に入り、キャップ１４０内に提供されるベンチュリ挿入体１６０を通って流動し、キャップ１４０は、ガス−液体混合物を発生させるために、ベンチュリ本体１６２と、液体１２０を移動する空気流の中に引き込むための関連付けられたベンチュリ導管１６４とを含み、ガス−液体混合物は、レセプタクル１４２の内部空洞１４４の中に放出され、内部空洞１４４は、排気筒構造１６８を介してエアロゾル出口チャンバ１６６へ、最終的にはカートリッジ出口１３２への途上にある。より具体的には、加圧された空気は、図７における標識された矢印１５６ａによって表されるように、キャップ１４０の側面における空気入口１５４を通して、カートリッジ１０２に進入し、そして、図７における標識された矢印１５６ｂによって表されるように、空気入口チャンバ１５８の中に移動し、ベンチュリ挿入体１６０を通る。空気が、ベンチュリ挿入体１６０を通って流動するとき、レセプタクル１４２からの液体１２０は、ベンチュリ導管１６４およびベンチュリ本体１６２を介して、空気流の中に引き込まれ、霧化された液体を備えているガス−液体混合物（本明細書では、拡散またはエアロゾル化された化合物とも称される）を生成し、それは、次いで、図７における標識された矢印１５６ｃによって表されるように、残りの液体１２０の上方のレセプタクル１４２の内部空洞１４４の中に放出される。拡散またはエアロゾル化された化合物は、ベンチュリ本体１６２からレセプタクル１４２内の残りの液体１２０の表面に向かってさし向けられ、拡散またはエアロゾル化された化合物の少なくとも一部は、レセプタクル１４２内の残りの流体１２０と衝突し、再結合し、ベンチュリ挿入体１６０によって、空気流の中に再導入される。拡散またはエアロゾル化された化合物の一部は、レセプタクル１４２の露出した内部表面上に集まるか、または別様にガスおよび霧化された液体から凝結し、レセプタクル１４２内の液体１２０に合流し、ベンチュリ挿入体１６０によって、ガス流の中に再導入され得る。拡散またはエアロゾル化された化合物の他の一部は、図８における標識された矢印１５６ｄによって表されるように、エアロゾル出口チャンバ１６６の中に排気筒構造１６８を通して駆動または押し進められ得る。そこから、拡散またはエアロゾル化された化合物の一部は、図８における標識された矢印１５６ｅによって表されるように、カートリッジ出口１３２を通して、カートリッジ１０２から退出するように進む。この行程を行うことにおいて、拡散またはエアロゾル化された化合物の液体粒径分布は、特に、微粒子のみが、カートリッジ１０２からの放出に成功するように洗練され得、比較的により大きい粒子は、カートリッジ１０２の内部構造および構成要素の１つ以上の表面上に集まるか、または別様にガスから凝結し、動作中、ベンチュリ本体１６２を通して押し進められる空気流の中に再導入するためにレセプタクル内の残りの液体１２０と合流する。例えば、エアロゾル出口チャンバ１６６内に常駐する拡散またはエアロゾル化された化合物の一部は、エアロゾル出口チャンバ１６６の露出した内部表面上に集まるか、または別様にガスおよび霧化された液体から凝結し、エアロゾル出口チャンバ１６６とレセプタクル１４２の内部空洞１４４との間の流体連通を提供する放出開口１７０を通して、レセプタクル１４２内の液体１２０に合流し得る。
【００３４】
図７に示されるように、ベンチュリ本体１６２は、ベンチュリ導管１６４の一端を受け取り、ベンチュリ導管１６４の出口をベンチュリ本体１６２の流動通路１６３と流体連通するように位置付けるための管受容通路１６５を含み得、液体１２０は、加圧された空気がベンチュリ本体１６２の流動通路１６３を介して加速されるとき、加圧された空気の経路の中に引き込まれ得る。ベンチュリ本体１６２の流動通路１６３は、収束入口と、狭いスロートと、液体の導入のための側面ポートと、発散出口とを備え得、それらは、空気の流動を加速し、側面ポートを通して液体１２０を引き込み、空気および液体の拡散させられる混合物をレセプタクル１４２の内部空洞１４４の中に放出するように構成される。流動通路１６３のサイズおよび形状は、空気流動の特性、空気流動を提供する空気供給導管１８６（図３）の幾何学形状、ならびに液体１２０をベンチュリ導管１６４まで効果的に引き込み、ベンチュリ本体１６２を介して、液体１２０を霧化するために要求される空気の体積および速度に基づいて構成され得る。
【００３５】
図４は、追加の明確性のために、取り外し可能カートリッジ１０２の分解図を提供する。再び、取り外し可能カートリッジ１０２は、エアロゾル化されるべき液体１２０を含むためのレセプタクル１４２と、カートリッジ１０２を形成するためにレセプタクル１４２に結合可能であるキャップアセンブリ１３８とを含む。キャップアセンブリ１３８は、溶接または別個の留め具を用いずに一緒に取り付けられるキャップ１４０と、ベンチュリ挿入体１６０と、キャップ基部１４１とを含み、キャップ１４０と、ベンチュリ挿入体１６０と、キャップ基部１４１とは、とりわけ、図７に示されるようなベンチュリ挿入体１６０の片側の空気入口チャンバ１５８と、図５に示されるようなベンチュリ挿入体１６０の他側のキャップ基部１４１を通過するベンチュリ出口通路１５９と、図８に示されるようなエアロゾル出口チャンバ１６６とを画定し、エアロゾル出口チャンバ１６６は、キャップ基部１４１によってレセプタクル１４２の内部空洞１４４から分割され、キャップ１４０の出口１３２と流体連通し、出口１３２を通して、ベンチュリ挿入体１６０によって発生させられた拡散またはエアロゾル化された化合物が、動作中、放出される。
【００３６】
図８を参照すると、キャップ１４０は、複数の柱状突起１７２を含み得、キャップ基部１４１は、キャップ１４０の柱状突起１７２と篏合するための対応する複数の開口１７４（図４）を含み得、キャップ基部１４１をキャップ１４０に取り付け、ベンチュリ挿入体１６０をその間に固定する。キャップ１４０の各柱状突起１７２は、多角形形状（例えば、六角形、五角形等）断面を有し得、柱状突起１７２の近位端または根本部から離れる増加する距離に伴って先細になり得る。各対応する開口１７４におけるキャップ基部１４１は、複数の個別の接触エリアにおいて各それぞれの柱状突起１７２と界面接触し、溶接または別個の留め具を用いずに、キャップ基部１４１をキャップ１４０に固定して取り付ける円筒形外形を有し得る。いくつかの事例では、キャップ基部１４１は、キャップ１４０の内部外形に対応して成形された少なくとも一部を有する周辺を含み得、それによって、キャップ基部１４１の周辺縁の少なくとも一部は、摩擦または締まり嵌めを介してキャップ基部１４１をキャップ１４０内の定位置に保持することを補助する。いくつかの事例では、キャップ基部１４１は、キャップ１４０内に楔止めされ、キャップ１４０からのキャップ基部１４１の分離を防止し、ベンチュリ挿入体１６０をキャップ１４０とキャップ基部１４１との間の定位置に維持し得る。加えて、図７および８から理解され得るように、レセプタクル１４２の口１５２は、キャップアセンブリ１３８が、レセプタクル１４２に取り付けられ、カートリッジ１０２を形成すると、キャップ基部１４１がキャップ１４０から分離することを防止し得る。
【００３７】
ここで図５を参照すると、キャップ１４０は、ベンチュリレセプタクルの少なくとも一部を画定する内部パーティション１７５を含み得、内部パーティション１７５は、ベンチュリ挿入体１６０を挿入可能に受け取るようにサイズを決定および成形される。内部パーティション１７５は、空気入口チャンバ１５８の少なくとも一部と、エアロゾル出口チャンバ１６６の少なくとも一部とも画定し得る。さらに、キャップ基部１４１は、キャップ１４０の内部パーティション１７５と篏合し、円周段部１７６を提供し得、円周段部１７６は、ベンチュリ挿入体１６０のベンチュリ本体１６２の周辺縁領域の下にあり、ベンチュリ挿入体１６０をキャップ１４０とキャップ基部１４１との間の定位置に保持する。
【００３８】
再び図７および８を参照すると、キャップ１４０は、対応する出口１３２、１３３のうちの１つ以上のものからのエアロゾル化された物質を異なる方向に放出するための複数の出口ノズル１７８、１８０も提供され得る。複数の出口ノズル１７８、１８０のうちの少なくとも１つは、キャップ１４０内に一体的に形成される障壁１８２を含み得、障壁１８２は、障壁１８２が除去されるまで、出口ノズル１８０の出口通路１８４をエアロゾル出口チャンバ１６６から隔離する。代替出口１３３を使用するために、ユーザは、穿孔または別の好適なプロセス等を介して、障壁１８２を除去することのみ必要であり、随意に、提供されるとき、他の出口１３２または複数の出口を塞ぐ。
【００３９】
図３から６を参照すると、カートリッジ１０２は、ポンプアセンブリ１２２の出口をキャップ１４０の空気入口１５４に結合する空気供給導管１８６を含むか、または別様にそれと共に動作し得る。空気供給導管１８６は、部品のアセンブリとして、または１つの特に有利な実施形態では、図に図示されるように、単一の一体的に形成される部材として提供され得る。空気供給導管１８６は、それを通して延びている内部空気通路１９０を有する、管状本体１８８を含み得る。管状本体１８８は、１つ以上のひだ付き区分１９１を有し、ポンプアセンブリ１２２の空気出口とキャップ１４０の空気入口１５４との間の空気供給導管１８６の経路設定を促進し得る。空気供給導管１８６は、キャップ１４０の空気入口１５４にシール係合するために、複数の弾力性突起１９２をその終端端部にさらに備え得る。空気供給導管１８６は、キャップ１４０内に一体的に形成される対応する係止特徴１９６を介して空気供給導管１８６をキャップ１４０に係止するために、係止デバイス１９４も含み得る。例えば、係止デバイス１９４は、空気供給導管１８６をキャップ１４０の入口１５４に結合後、係止デバイス１９４を非係止位置から係止位置に回転させることによって、係止空洞の形態における対応する係止特徴１９６内に挿入可能であるタブを備え得る。係止デバイス１９４は、係止デバイス１９４を操作するために、および、カートリッジ１０２を器具筐体１０１内に据え付けること、およびカートリッジ１０２を器具筐体１０１から除去することを補助するために、把持部分１９８をさらに含み得る。
【００４０】
空気処理器具１００およびその構成要素のさらなる詳細が、ここで、図３を参照して説明されるであろう。前述のように、空気処理器具１００は、エアロゾル化され、カートリッジ出口１３２を通して放出されるべき、液体１２０を含む取り外し可能カートリッジ１０２と、取り外し可能カートリッジ１０２に動作可能に結合され、空気を取り外し可能カートリッジ１０２に供給し、エアロゾル化された化合物を液体１２０から発生させるポンプアセンブリ１２２と、ポンプアセンブリ１２２を制御し、空気を取り外し可能カートリッジ１０２に供給し、エアロゾル化された化合物を発生させ、エアロゾル化された化合物をカートリッジ出口１３２から放出するために、ポンプアセンブリ１２２に動作可能に結合されるコントローラ１３０と、取り外し可能カートリッジ１０２、ポンプアセンブリ１２２、およびコントローラ１３２をその内部空洞２００内に収容する器具筐体１０１とを含む。図３に示されるように、器具筐体１０１は、基部２０２と、内部空洞２００を画定するために基部２０２に結合可能であるカバー２０４と、内部空洞２００内に位置する、内側サブ筐体２０６とを含む。
【００４１】
有利には、図９を参照すると、内側サブ筐体２０６は、基部２０２に結合され、空気出口２１２を有する通路２１０の少なくとも一部を集合的に画定し得、空気出口２１２は、動作中、カートリッジ出口１３２から放出されたエアロゾル化された化合物の経路を横断して空気の流動を放出するように位置付けられる。内側サブ筐体２０６は、通路２１０の終端端部を画定し、空気出口２１２を含む放出ノズル２１４を含み得る。図示される実施形態によると、放出ノズル２１４は、カートリッジ出口１３２（また、器具出口１１４としての役割も果たす）から放出されたエアロゾル化された化合物の経路に対して斜めに空気の流動を放出するように向けられる。このように、空気出口２１２から放出された空気の流動は、拡散またはエアロゾル化された化合物を処理されるべき空間の中に搬送し、空間のより効果的処理のために、化合物をさらに分散させることを補助し得る。
【００４２】
図９を継続して参照すると、内側サブ筐体２０６は、カートリッジ出口１３２を含む取り外し可能カートリッジ１０２のステムまたはノズル１７８を受け取るために、かつカートリッジ出口１３２およびエアロゾル化された化合物の経路と内側サブ筐体２０６の放出ノズル２１４の空気出口２１２を整列させることを補助するために、整列溝２１８を有するタング２１６をさらに含み得る。このように、内側サブ筐体２０６は、カートリッジ出口１３２と放出ノズル２１４の空気出口２１２とを互いに対して、かつ、エアロゾル化された化合物とそれと交差する空気の流動とが空気処理器具１００から放出されることを可能にするためにカバー２０４内に提供され得る対応する開口２２０、２２２に対して、整列させることを補助することができる。
【００４３】
図９を継続して参照すると、空気処理器具１００は、基部２０２と内側サブ筐体２０６との間に形成される器具筐体１０１のコンパートメント２２６内に位置付けられるファンデバイス２２４をさらに含み得る。ファンデバイス２２４は、空気をコンパートメント２２６から引き込み、動作中、カートリッジ出口１３２（図３）から放出されたエアロゾル化された化合物の経路を横断して空気の流動を放出するように位置付けられる空気出口２１２につながる通路２１０を通して空気を移動させるように配置されるファン取入口２２８およびファン出口２２９を含み得る。さらに、コントローラ１３０の機能的電子機器の少なくとも一部は、基部２０２と内側サブ筐体２０６との間に形成される器具筐体１０１のコンパートメント２２６内に位置し得、ファン取入口２２８は、コントローラ１３０の該機能電子機器に面する空気を引き込むように配置され得る。このように、ファンデバイス２２４は、放出されたエアロゾル化された化合物を加温または加熱しながら、コントローラ１３０の機能的電子機器を冷却することも補助し得、空間を効果的に処理することを補助し得る。
【００４４】
図９を継続して参照すると、空気処理器具１００は、器具１００が搭載され得る壁の電源コンセントに器具１００を接続するための電源ユニット２３０をさらに含み得る。この目的のために、器具筐体１０１の基部２０２は、電源アダプタユニット２３０を収容し、電源アダプタユニット２３０を隠すようにサイズを決定および成形される電源アダプタ空洞２３２を画定し得る。器具筐体１０１の基部２０２は、背面２０３と、対向する側面２０５とを含み得、電源アダプタ空洞２３２は、対向する側面２０５間の基部２０２の背面２０３の中に直接形成され、電源アダプタユニット２３０のための凹所を形成し得る。
【００４５】
ここで図１０を参照すると、空気処理器具１００は、ポンプアセンブリ１２２を器具筐体１０１に結合するポンプ搭載設備２３４をさらに含み得る。ポンプ搭載設備２３４は、ポンプブラケット２３６と、複数の方向におけるポンプアセンブリ１２２の振動を抑制するように異なる平面（例えば、直交平面）に配置される複数のアイソレータ群２３８、２４０とを含み得る。例えば、図１０に示されるように、ポンプブラケット２３６は、Ｌ形状であり得、第１のアイソレータ群２３８は、ブラケット２３６の垂直脚部を器具筐体１０１に結合し得、アイソレータ２３８のそれぞれの軸は、器具１００の正面に対して略法線に整列させられる。第２のアイソレータ群２４０は、ブラケット２３６の水平脚部を器具筐体１０１に結合し得、アイソレータ２４０のそれぞれの軸は、器具１００の正面と略平行に整列させられる。集合的に、アイソレータ群２３８、２４０は、直交方向等の複数の方向におけるポンプアセンブリ１２２の振動を抑制し得る。これは、そうでなければポンプアセンブリ１２２に関連付けられる振動を抑制し、器具１００がより静音で起動することを可能にし得る。
【００４６】
理解され得るように、図１０では、ポンプブラケット２３６は、ポンプアセンブリ１２２を、基部２０２およびカバー２０４によって集合的に画定される、器具筐体１０１の下側端部に位置するポンプ空洞２４２内に吊り下げ得る。有利には、防音または消音デバイス２４４が、図３に示されるように、ポンプ空洞内に位置付けられ、ポンプアセンブリ１２２と器具筐体１０１との間の空隙を実質的に充填し得る。防音または消音デバイス２４４は、ポンプアセンブリ１２２の近傍に空空間が実質的に存在しないように、ポンプアセンブリ１２２と器具筐体１０１との間の空隙に対応する形状で形成されるコンプライアントな材料を備え得る。これは、ポンプアセンブリ１２２からの振動をさらに減衰または抑制し、ポンプアセンブリ１２２から発出する任意の音を消音し得る。
【００４７】
図４に示されるように、カートリッジ１０２のレセプタクル１４２は、その側面内に形成される１つ以上のくぼみ１４３を含み得、くぼみ１４３は、追加の剛性をレセプタクル１４２に提供し、かつカートリッジ１０２を器具筐体１０１内の適切な位置に据え付けるための位置決め特徴を提供し得る。したがって、器具筐体１０１の基部２０２は、図１０に示されるように、カートリッジ１０２のレセプタクル１４２のくぼみ１４３と入れ子にされ、カートリッジ１０２を器具筐体１０１内に受け取ることを補助するように構成される１つ以上の対応する整列突起２４６を含み得る。
【００４８】
図１０を参照すると、空気処理器具１００は、ディスクバッテリ等の補助電源２４８を含み得、補助電源２４８のための容器２５０を含み得る。容器２５０は、器具筐体１０１に取り外し可能に結合可能であり、補助電源２４８を器具筐体１０１内に位置付け、必要に応じて、電源２４８（例えば、バッテリ）の交換を可能にし得る。容器２５０は、電源２４８を収容するように成形される本体２５２を含み得、器具筐体１０１の対応する空洞２５６からの補助電源２４８の除去および交換用電源の据え付けを補助するために、その端部から突出するフィンガグリップ２５４を含み得る。フィンガグリップ２５４は、弾力的および／または可撓であり得、据え付けられるときに容器２５０を器具筐体１０１に固定するためのラッチ要素２５８を含み得る。
【００４９】
図９を参照すると、器具筐体１０１の背面２０３は、器具筐体１０１を、図１に示されるように、壁１０８に、または代替として、図２に示されるように、器具１００をテーブル１１２または他の構造上に支えるために、器具スタンド１１０に固定するための搭載開口２６０ａ、２６０ｂの配置を含み得る。有利には、器具１００を壁に据え付けるとき、電源アダプタユニット２３０は、電源コンセントに固定され得、器具筐体１０１は、電源アダプタユニット２３０を電源アダプタ空洞２３２内に隠すための位置において、壁１０８上の鍵穴スロットを含む、搭載開口２６０ａのうちのいくつかから吊り下げられ得る。器具１００は、次いで、残りの搭載開口２６０ｂを通して留め具を使用して、器具１００の内部から、壁にさらに固定され得る。器具１００は、次いで、搭載留め具へのアクセスならびに器具１００の除去および／または他の不正加工を防止するようにプログラムおよび係止され得る。
【００５０】
図３を参照すると、器具筐体１０１の基部２０２の背面２０３の上側および下側縁ならびに対向する側面２０５の各々の周辺縁は、別個の留め具を用いずに基部２０２とカバー２０４とを一緒に接合するために、カバー２０４の周縁に沿って提供される対応する突起２６４を受け取るための複数のくぼみ２６２を含み得る。基部２０２およびカバー２０４は、摩擦嵌め、締まり嵌め、またはスナップ嵌合において、一緒にパチンと締り得る。組み立てられると、カバー２０４は、基部２０２に係止され、器具１００の内部への意図されないアクセスを防止し得る。この目的のために、器具筐体１０１は、カバー２０４を器具筐体１０１の基部２０２と一体的に形成されている１つ以上の捕捉部材２６７に直接係止するためにカバー２０４に結合される係止アセンブリ２６６をさらに含み得る。係止アセンブリ２６６、特に、係止アセンブリ２６６の鍵穴面は、一体型カップリング部材２６９（例えば、戻り止め、スナップ、クリップ等）の配置と、カバー２０４内の対応する開口２７１に固定し得る、可撓性ランヤード２７０とを介して、カバー２０４に取り外し可能に固定され得る別個のサブカバー２６８（図１２）によって隠され得る。
【００５１】
図１１を参照すると、係止アセンブリ２６６は、保持具２７６によって係止アセンブリのシャフト２７４に固定される回転可能ラッチ２７２を備え得る。保持具２７６は、従来のスナップリング、サークリップ、または他のスプリット保持リングに類似するが、さらに、本体２７８から突出し、保持具２７６の据え付けおよび除去を補助する、直立タブ２８０を含む、本体２７８を含み得る。直立タブ２８０は、リング構造内のスプリットまたは間隙２７９と反対の周辺縁において本体２７８から突出し得る。
【００５２】
図３に戻って参照すると、例えば、器具１００を据え付けるとき、または点検するとき等、カバー２０４が、係止解除され、基部２０２から除去されると、カバー２０４は、カバー２０４および基部２０２と一体的に形成される対向端部におけるランヤード搭載部２８４、２８６に固定される、ランヤード２８２を介して、基部２０２に取り付けられたままであり得る。このように、保守またはその他の間、カバー２０４の誤設置および／もしくは不注意な損傷のリスクは、最小化または排除され得る。
【００５３】
空気処理器具１００およびその構成要素のさらなる詳細は、図１２に示される空気処理器具１００の分解図の精査に基づき、当業者によって理解されるであろう。
【００５４】
本開示では、カートリッジ１０２、故に、器具１００の出口１３２は、カートリッジ１０２内で発生させられた霧化された液体が、処理されるべき空間の中に直接流動することを可能にする。しかしながら、器具１００は、代替として、代わりに、拡散またはエアロゾル化された化合物を空気移送もしくは分配システムの中にさし向け得る。空気移送システムは、拡散またはエアロゾル化された化合物が遠隔で位置する空間または複数の遠隔で位置する空間の中に分散させられることを可能にするであろう、配管または他の手段を含み得る。したがって、器具１００は、例えば、既存のＨＶＡＣシステムを通して、液体を建物全体を通して拡散および分散させるために使用され得る。
【００５５】
本明細書に開示される空気処理器具１００、取り外し可能カートリッジ１０２、および構成要素は、オンボードポンプアセンブリ１２２の動作の圧力、速度、および／またはタイミングを変動させ、カートリッジ１０２を通して空気流動を提供するためのコントローラ１３０を介した動作制御を含み得ることにも留意されたい。器具１００によって拡散またはエアロゾル化された液体の量および空間の処理の対応する程度を改変するためのコントローラ１３０の使用に加え、拡散させられるべき液体の特性も、拡散させられる液体の量および処理の程度に影響を及ぼし得る。例えば、より粘性の液体は、よりゆっくりと拡散し得る。液体の密度も、提供される処理の程度に影響を及ぼし得る。カートリッジ１０２内の液体１２０のこれらの特性も、カートリッジ１０２が受け取られる器具１００の機能および動作に関する制御を設定するときに考慮され得る。
【００５６】
再び、種々の開示される実施形態の完全な理解を提供するために、ある具体的詳細が記載されるが、当業者は、実施形態がこれらの具体的詳細のうちの１つ以上のものを伴わずに実践され得ることを認識するであろう。
【００５７】
さらに、上で説明される種々の実施形態の側面および特徴は、さらなる実施形態を提供するように組み合わせることができる。２０１５年１０月２０日に出願された米国特許出願第１４／９１８，３７９号を含む、本明細書で言及される、および／または出願データシートにリストアップされる米国特許、米国特許出願公開、米国特許出願、外国特許、外国特許出願、および非特許出版物の全てが、参照することによってその全体として本明細書に組み込まれる。その上さらなる実施形態を提供するために、種々の特許、出願、および出版物の特徴、構造、機能性、または概念を採用するように、必要であれば、実施形態の側面を修正することができる。
【００５８】
これらおよび他の変更が、上記に詳述される説明に照らして、実施形態に成されることができる。概して、以下の請求項では、使用される用語は、請求項を、本明細書および請求項で開示される具体的実施形態に限定するように解釈されるべきではないが、そのような請求項が権利を持つ均等物の全範囲とともに、全ての可能な実施形態を含むように解釈されるべきである。故に、請求項は、本開示によって限定されない。
【図１】
2018534048.tif 000003
【図２】
2018534048.tif 000004
【図３】
2018534048.tif 000005
【図４】
2018534048.tif 000006
【図５】
2018534048.tif 000007
【図６】
2018534048.tif 000008
【図７】
2018534048.tif 000009
【図８】
2018534048.tif 000010
【図９】
2018534048.tif 000011
【図１０】
2018534048.tif 000012
【図１１】
2018534048.tif 000013
【図１２】
2018534048.tif 000014
【国際調査報告】
2018534048.tif 000015
2018534048.tif 000016
2018534048.tif 000017
2018534048.tif 000018
2018534048.tif 000019
2018534048.tif 000020
2018534048.tif 000021